(57)【要約】  【課題】  上側キャビネットと下側キャビネットのネジ止めをし忘れたとしても、配線カバー体を装着することにより上側キャビネットを開けることができないようにして安全性を確保した。  【解決手段】  筐体本体を、右面側壁２−５に配線盤部２ｃを設けた下側キャビネット２と、下側キャビネット２の正面開口を閉塞する上側キャビネット３と、右面側壁２−５をカバーする配線カバー体４を有し、配線カバー体４が配線板部２ｃをカバーした際に、上側キャビネット３の正面側壁３−１における右側面側先端に設けた突起部３−１０が配線カバー体４の正面側壁４−２の内壁先端に引っ掛かって、上側キャビネット３が下側キャビネット２に対する閉塞状態を保持するように構成した。【選択図】  図１
2006254343.tif 000002
【特許請求の範囲】
【請求項１】
電子機器を収容する筐体本体を、少なくとも一面側壁に配線盤部を設けた下側キャビネットと、前記下側キャビネットの正面開口を閉塞する上側キャビネットと、前記下側キャビネットの少なくとも前記一面側壁をカバーすべく前記上下側キャビネットに装着される配線カバー体とを有して構成し、
前記配線カバー体装着時に、前記配線カバー体に前記上側キャビネット側に形成した突起部が引っ掛かることにより、前記上側キャビネットの前記下側キャビネットに対する閉塞状態を保持するように構成したことを特徴とする電子機器を収容するための筐体構造。
【請求項２】
前記下側キャビネットと前記上側キャビネットとを取付けネジを用いて装着して、前記配線カバー体により少なくとも前記一面側壁をカバーした際に、前記配線盤部と共に前記取付けネジが前記配線カバー体により覆われるように構成したことを特徴とする請求項１記載の電子機器を収容するための筐体構造。
【請求項３】
前記取付けネジが、前記下側キャビネットに脱落防止手段により脱落防止された状態で取着していることを特徴とする請求項２記載の電子機器を収容するための筐体構造。
【請求項４】
請求項１記載の電子機器を収容するための筐体構造を用いて構成するビジネスホン等に用いる電話主装置。
【発明の詳細な説明】
【技術分野】
【０００１】
本発明は、ビジネスホン等の電話主装置等における電子機器を収容するための筐体構造およびこれを用いて構成するビジネスホン等に用いる電話主装置に関する。
【背景技術】
【０００２】
この種の筐体構造は、電子機器を収容するための下側キャビネットと下側キャビネットの開口部及び配線盤部を覆うための上側キャビネットとを有して構成し、上側キャビネットの表面部から取付けネジを装着して、下側キャビネット側を螺着して、両キャビネットを取付けるように構成していた(特許文献１参照)。
【特許文献１】特開２００３−３１８５６４公報
【発明の開示】
【発明が解決しようとする課題】
【０００３】
このように構成する電子機器を収容するための筐体構造においては、上側キャビネットと下側キャビネットのネジ止めをし忘れた場合に、上側キャビネットが開いてしまうことにより電子機器内部が露出して不安全な状態となってしまい、また、化粧板としての機能をも果たす上側キャビネットの正面部に、取付けネジの頭部分が顕出してしまい、見栄えの点で課題を残しているとともに、配線盤部のメンテナンス等のために、いちいち取付けネジを外す必要があり、作業工数増加の要因となっていた。
【０００４】
そこで、本発明は、かかる点に鑑み、上側キャビネットと下側キャビネットのネジ止めをし忘れたとしても、配線カバー体を装着することにより上側キャビネットを開けることができないようにして安全性を確保した電子機器を収容するための筐体構造を提供することを目的としている。
【０００５】
また、本発明は、配線盤部を簡単に表出することができるようにするとともに、取付けネジが筐体の表面に表出しないようにした電子機器を収容するための筐体構造を提供することを目的としている。
【課題を解決するための手段】
【０００６】
上記目的を達成するために本発明は、電子機器を収容する筐体本体を、少なくとも一面側壁に配線盤部を設けた下側キャビネットと、下側キャビネットの正面開口を閉塞する上側キャビネットと、下側キャビネットの少なくとも一面側壁をカバーすべく上下側キャビネットに装着される配線カバー体とを有して構成し、配線カバー体装着時に、配線カバー体に上側キャビネット側に形成した突起部が引っ掛かることにより、上側キャビネットの下側キャビネットに対する閉塞状態を保持するように構成したことを特徴とする。
【発明の効果】
【０００７】
上記のように構成する本発明は、配線カバー体を装着することにより、上側キャビネットの突起部が配線カバー体に引っ掛かって、上側キャビネットが下側キャビネットに対する閉塞状態を保持することになり、このために、不用意に筐体本体内部の電子機器を露出させることがなく、安全性を確保することができ、また、例えば、下側キャビネットと上側キャビネットとを取付けネジを用いて装着するように構成した場合に、配線カバーにより少なくとも一面側壁をカバーした際に、配線盤部と共に取付けネジが配線カバー体により覆われるように構成することができ、取付けネジを取外すことなく、配線カバー体を開けることにより、配線盤部が容易に表出することになって、メンテナンス作業等を余り工数をかけずに迅速行うことができ、しかも、取付けネジが配線カバー体によって覆われるように構成することができるので、上側キャビネットの化粧板としての機能を損なわずに、見栄え向上を果たすことができる。
【発明を実施するための最良の形態】
【０００８】
請求項１に記載の本発明は、電子機器を収容する筐体本体を、少なくとも一面側壁に配線盤部を設けた下側キャビネットと、下側キャビネットの正面開口を閉塞する上側キャビネットと、下側キャビネットの少なくとも一面側壁をカバーすべく上下側キャビネットに装着される配線カバー体とを有して構成し、配線カバー体装着時に、配線カバー体に上側キャビネット側に形成した突起部が引っ掛かることにより、上側キャビネットの下側キャビネットに対する閉塞状態を保持するように構成したことを特徴とする。
【０００９】
かかる構成により、配線カバー体を装着することにより、上側キャビネットの突起部が配線カバー体に引っ掛かって、上側キャビネットが下側キャビネットに対する閉塞状態を保持することになり、このために、不用意に筐体本体内部の電子機器を露出させることがなく、安全性を確保することができ、また、例えば、下側キャビネットと上側キャビネットとを取付けネジを用いて装着するように構成した場合に、配線カバーにより少なくとも一面側壁をカバーした際に、配線盤部と共に取付けネジが配線カバー体により覆われるように構成することができ、取付けネジを取外すことなく、配線カバー体を開けることにより、配線盤部が容易に表出することになって、メンテナンス作業等を余り工数をかけずに迅速行うことができ、しかも、取付けネジが配線カバー体によって覆われるように構成することができるので、上側キャビネットの化粧板としての機能を損なわずに、見栄え向上を果たすことができる。
【００１０】
請求項２に記載の本発明は、請求項１に記載の下側キャビネットと上側キャビネットとを取付けネジを用いて装着して、配線カバー体により少なくとも一面側壁をカバーした際に、配線盤部と共に取付けネジが配線カバー体により覆われるように構成したことを特徴とする。
【００１１】
かかる構成により、下側キャビネットの配線盤部をカバーする配線カバー体にて、上下キャビネットの取付けネジを覆うようにしたために、配線カバー体を開けることにより、配線盤部が容易に表出することになって、メンテナンス作業等を余り工数をかけずに迅速行うことができ、しかも、取付けネジが配線カバー体によって覆われているので、上側キャビネットの化粧板としての機能を損なわずに、見栄え向上を果たすことができる。
【００１２】
請求項３に記載の本発明は、請求項２に記載の発明における取付けネジが、下側キャビネットに脱落防止手段により脱落防止された状態で取着していることを特徴とするものである。
【００１３】
かかる構成により、下側キャビネットに対して、装着されている上側キャビネットを後に分解した後、再装着を行う際に、取付けネジが下側キャビネットに脱落防止された状態で取着しているので、再取付け作業がいちいち取付けネジを取出し、据え付けなくとも果たし得、上下キャビネットの着脱作業を簡単に行うことができる。
【００１４】
請求項４に記載の本発明は、請求項１記載の電子機器を収容する筐体構造を用いて構成するビジネスホン等に用いる電話主装置を提供するものである。
【００１５】
かかる構成により、配線カバー体を装着することにより、上側キャビネットの突起部が配線カバー体に引っ掛かって、上側キャビネットが下側キャビネットに対する閉塞状態を保持することになり、このために、不用意に筐体本体内部の電子機器を露出させることがなく、安全性を確保することができ、また、例えば、下側キャビネットと上側キャビネットとを取付けネジを用いて装着するように構成した場合に、配線カバーにより少なくとも一面側壁をカバーした際に、配線盤部と共に取付けネジが配線カバー体により覆われるように構成することができ、取付けネジを取外すことなく、配線カバー体を開けることにより、配線盤部が容易に表出することになって、メンテナンス作業等を余り工数をかけずに迅速行うことができ、しかも、取付けネジが配線カバー体によって覆われるように構成することができるので、上側キャビネットの化粧板としての機能を損なわずに、見栄え向上を果たすことができる優れた電話主装置を提供することができる。
【００１６】
以下、図を用いて本発明を実施するための最良の形態における実施例を説明する。
【００１７】
図１は、本発明にかかる実施例を電話主装置に採用した電子機器を収容するための筐体構造について、配線カバー体を開いた状態を描画した斜視図、図２は図１におけるＡ円内の拡大図、図３は図１のＢ円内の拡大図、図４は図１における配線カバー体を取外し下側キャビネットと上側キャビネットを取付けているネジを外して上側キャビネットを開口した状態における斜視図、図５は図４におけるＣ円内の拡大図、図６は図４におけるＤ−Ｄ断面図、図７は図４におけるＥ−Ｅ断面図である。
【００１８】
なお、以下の説明は、図１に記載した交叉線に記載したように、筐体構造の正面、背面、上下面及び左右面を定めるものとする。
【００１９】
先ず、図１に示すように、ビジネスホン等の電話主装置等の電子機器を収容する筐体本体１は、樹脂材料等の絶縁材料にて構成した下側キャビネット２と上側キャビネット３と配線カバー体４とにより構成している。
【００２０】
図４に示すように、下側キャビネット２は、正面開口部２ａを有した箱型を呈しており、プリント配線基板等の電子機器部品(不図示)を所定位置に配して収容するものである。
【００２１】
下側キャビネット２は、略四角形の背面側壁２−１の外周部４辺に、それぞれ上下面側壁２−２及び２−３、左右面側壁２−４及び２−５を立設して、箱型に形成されている。
【００２２】
上下面側壁２−２及び２−３には、ほぼ全体に、複数の通気孔２ｂが形成され、また、左面側壁２−４における下面側壁２−３に近い部分に、やはり複数の通気孔２ｂが形成されている。
【００２３】
少なくとも、右面側壁２−５には、収容された電子機器と電源その他の外部機器とを電気的に接続する配線(不図示)を設置するための配線盤部２ｃが形成されていると共に、正面側端部に外方に突出する張出し部２−５ａを一体に延設している。
【００２４】
更に、張出し部２−５ａは、下側キャビネット２の内部側に突出する棚部２−５ｂを形成すると共に、特に図６に示すように、それぞれ上側キャビネット２を組合せ装着するための取付け孔２−５ｃが形成されると共に、取付け孔２−５ｃを囲繞するように、略円形の縁取り突起２−５ｄが形成されている。
【００２５】
取付け孔２−５ｃには、取付けネジ５が下側キャビネット２の内方に向かって挿入され、取付けネジ５は、張出し部２−５ａの内壁側から挿入した脱落防止手段例えばＣリング６が挿入されていて、取付け孔２−５ｃからの脱落防止機能が施されている。
【００２６】
上側キャビネット３は、図４に示すように、下側キャビネット２の形状に適合するように、化粧板としての機能を有する略四角形の正面側壁３−１の右側面側を除く外周部３辺に、互いに連続するように上下面側壁３−２及び３−３、左面側壁３−４を立設して、箱型に形成されている。
【００２７】
上面側壁３−２、下面側壁３−３及び左面側壁３−４、には、それぞれほぼ全体に、複数の通気孔３ａが形成されている。
【００２８】
図５に示すように、左面側壁３−４の先端部両端には、先端部が開口して弾性変形可能なヒンジ片３−５がそれぞれ形成されており、ヒンジ片３−５に下側キャビネット２の左面側壁２−４に設けたヒンジピン２−６を挿入することにより、下側キャビネット２に対して、上側キャビネット３が蝶着されることによって、下側キャビネット２に対して上側キャビネット３を開閉動可能に第１の蝶着手段Ｘを構成している。
【００２９】
ヒンジ片３−５は、下側キャビネット２に対して上側キャビネット３に引き抜き力を付与すれば、先端開口部３−６が拡開して、ヒンジピン２−６から取外すことができ、この結果、下側キャビネット２と上側キャビネット３とは分離可能となる。
【００３０】
下側キャビネット２及び上キャビネット３は、図４に示すよう上側キャビネット３が下側キャビネット２に対して展開した状態から、上側キャビネット３をヒンジ手段Ｘを介して下側キャビネット２側に回動することによって、下側キャビネット３の張出し部２−５ａが上側キャビネット３の側壁部を有さない右側面側部に入り込んで、正面開口２ａを閉塞して、プリント配線基板等の電子機器部品を覆うキャビネット体Ｚを構成することになる(図１に示す状態)。
【００３１】
上側キャビネット３の上面側壁３−２及び下面側壁３−３と側壁のない右面側との角部には、特に図７に示すように、それぞれ取付け孔形成片部３ｂが背面側に突出するように形成され、取付け孔形成片部３ｂには、下側キャビネット３の取付け孔２−５ｃに対応して、取付けネジ５を螺合する取付けネジ孔３ｃが形成されて、下側キャビネット２に対して上側キャビネット３が取付けねじ５によって組合せ装着されている。
【００３２】
この時、配線盤部２ｃは、右面側壁２−５側において、表出している。
【００３３】
配線カバー体４は、図１に示すように、表出している配線盤部２ｃを含む下側キャビネット２の右面側壁２−５を少なくともカバーするもので、左側面がキャビネット体Ｚにおける配線盤部２ｃ側の外周に重合して嵌合する配線カバー体開口部４−１を有するように、樹脂材料等の絶縁材料を成形することによって箱型に構成されている。
【００３４】
配線カバー体４の右面側壁４−４は、上側キャビネット３の正面側壁３−１と同様に、化粧板の機能を果すために、小凹凸面４ａに形成されている。
【００３５】
配線カバー体４の上面側壁４−５及び下面側壁４−６には、配線盤部２ｃに配線された電線(不図示)を選択的に外部に引き回しできるように、所定の大きさの開口が形成できるように、割取り部４ｂが形成されている。
【００３６】
配線カバー体４の背面側壁４−３における配線カバー体開口部４−１側の一側先端部及び中央側先端部には、先端が鉤状に折曲形成されたヒンジ片４−７が形成され、ヒンジ片４−７の鉤状部を下側キャビネット２の右面側壁２−５側に設けたヒンジ片受け部３−７に嵌合することによって、配線カバー体４をキャビネット体Ｚに対して開動可能にする第２の蝶着手段Ｙを構成している。
【００３７】
図１及び図３に示すように、配線カバー体４の正面側壁４−２における配線カバー体開口部４−１側の先端部には、互いに適宜離間した状態で、先端が下向き鉤状に折曲形成されたロック片４−８が一対設けられている。
【００３８】
ロック片４−８に対向して、下側キャビネット２の右面側壁２−５における棚部２−５ｂには、ロック片４−８が係合するロック孔２−５ｅ、２−５ｆが形成されており、ロック片４−８及びロック孔２−５ｅによって、上側キャビネット(延いてはキャビネット体Ｚ)に対して配線カバー体４をロックするロック手段Ｌを構成している。
【００３９】
ロック手段Ｌは、配線カバー体４の上面側壁４−５に設けた開錠ノブ４−９(図１参照)を不図示の復帰ばねの付勢力に抗して押し込み操作することによって、ロック孔２−５ｅ、２−５ｆに対するロック片４−８の係合を離して開錠し、キャビネット体Ｚ側にロックされていた配線カバー体４を開動可能にすることができる。
【００４０】
下側キャビネット２の右面側壁２−５における張出し部２−５ａ及び背面側壁２−１側先端部側には、互いに離間して外方に突出する複数個の突起３−９が形成されており、突起３−９は、配線カバー体４におけるキャビネット体Ｚに対する閉塞時のガタ防止構造を構成している。
【００４１】
上側キャビネット３の正面側壁３−１における右側面側先端には、右側面側に突出する複数(実施例では３個)の突起部３−１０が形成されていると共に、下側キャビネット２の棚部２−５ｂには、突起部３−１０を受け入れて右面側壁２−５側に突出させる受入れ凹部２−８が形成されており、配線カバー体４がロック手段Ｌによってキャビネット体Ｚにロックされた状態で装着されている場合に、突起部３−１０が配線カバー体４の正面側壁４−２の内壁先端に引っ掛かって、上側キャビネット３は下側キャビネット２に対する閉塞状態を保持するように構成されている。
【００４２】
上記のように構成する場合、万一取付けネジ５を取付け孔２−５ｃに螺合し忘れた場合でも、突起部３−１０が配線カバー体４の正面側壁４−２の内壁先端に引っ掛かって、上側キャビネット３は下側キャビネット２に対する閉塞状態を保持していることから、上側キャビネット３は下側キャビネット２に対して不用意に開動することがなく、キャビネット体Ｚの内部の電子機器を露出させることがなく、安全性を確保することができる。
【００４３】
また、下側キャビネット２の配線盤部２ｃをカバーする配線カバー体４にて、下側キャビネット２に対する上側キャビネット３を組合せ装着する取付けネジ５と共に少なくとも右面側壁２−５を覆うようにしたために、配線カバー体４を第２の蝶着手段Ｙを介して開けることにより、配線盤部２ｃが容易に表出することになって、メンテナンス作業等を余り工数をかけずに迅速行うことができ、しかも、取付けネジ５が配線カバー体４によって覆われているので、上側キャビネット３の化粧板としての機能を損なわずに、見栄え向上を果たすことができ、電話主装置等の電子機器を収容するために最適な筐体構造を提供することができる。
【００４４】
また、下側キャビネット２に対して、装着された上側キャビネット３をヒンジ片３−５及びヒンジピン２−６により構成する第１の蝶着手段Ｘにて開動して分解した後、再取付けを行う際に、取付けネジ５がＣリング６により下側キャビネット２に脱落防止された状態で取着しているので、再取付け作業がいちいち取付けネジ５を取出し、据え付けなくとも果たし得、上下キャビネット２，３の着脱作業を簡単に行うことができる。
【産業上の利用可能性】
【００４５】
以上説明したように、本発明は、配線カバー体を装着することにより、上側キャビネットの突起部が配線カバー体に引っ掛かって、上側キャビネットが下側キャビネットに対する閉塞状態を保持することになり、このために、不用意に筐体本体内部の電子機器を露出させることがなく、安全性を確保することができ、また、例えば、下側キャビネットと上側キャビネットとを取付けネジを用いて装着するように構成した場合に、配線カバーにより少なくとも一面側壁をカバーした際に、配線盤部と共に取付けネジが配線カバー体により覆われるように構成することができ、取付けネジを取外すことなく、配線カバー体を開けることにより、配線盤部が容易に表出することになって、メンテナンス作業等を余り工数をかけずに迅速行うことができ、しかも、取付けネジが配線カバー体によって覆われるように構成することができるので、上側キャビネットの化粧板としての機能を損なわずに、見栄え向上を果たすことができるために、ビジネスホン等の電話主装置等における電子機器を収容するための筐体構造およびこれを用いて構成するビジネスホン等に用いる電話主装置等に好適である。
【図面の簡単な説明】
【００４６】
【図１】本発明にかかる実施例を電話主装置に採用した電子機器を収容するための筐体構造について、配線カバー体を開いた状態を描画した斜視図
【図２】図１におけるＡ円内の拡大図
【図３】図１のＢ円内の拡大図
【図４】図１における配線カバー体を取外し下側キャビネットと上側キャビネットを取付けているネジを外して上側キャビネットを開口した状態における斜視図
【図５】図４におけるＣ円内の拡大図
【図６】図４におけるＤ−Ｄ断面図
【図７】図４におけるＥ−Ｅ断面図
【符号の説明】
【００４７】
１    筐体本体
２    下側キャビネット
２ａ  正面開口部
２ｃ  配線盤部
２−５  右面側壁(一面側壁)
３    上側キャビネット
４    配線カバー体
５    取付けネジ
６    Ｃリング(脱落防止手段)
【図１】
2006254343.tif 000003
【図２】
2006254343.tif 000004
【図３】
2006254343.tif 000005
【図４】
2006254343.tif 000006
【図５】
2006254343.tif 000007
【図６】
2006254343.tif 000008
【図７】
2006254343.tif 000009